(57)【要約】      （修正有）【課題】照明ランプの照度を容易に調整することができ、良好な光感快適性を有し、ユーザの異なるシーンに対する要求に適応することができる家庭用照明ランプを提供する。【解決手段】本考案は、ランプホルダ、主発光部材２１、及びサブ発光部材３１を含み、ランプホルダの前側はフロントパネルであり、ランプホルダの後側は取り付け部であり、主発光部材はランプホルダの前方に設けられ、サブ発光部材はランプホルダの後方及び／または側方に設けられ、主発光部材及びサブ発光部材はいずれも制御回路と電気的に接続されている家庭用照明ランプを開示する。本考案では、照明ランプの照度を容易に調整することができ、良好の光感快適性を有し、ユーザの異なるシーンに対する要求に適応することができる。【選択図】図１
0003235339.tif 000002
【実用新案登録請求の範囲】
【請求項１】
ランプホルダ、主発光部材、及びサブ発光部材を含み、
前記ランプホルダの前側はフロントパネルであり、前記ランプホルダの後側は取り付け部であり、前記主発光部材は前記ランプホルダの前方に設けられ、前記サブ発光部材は前記ランプホルダの後方及び/または側方に設けられ、
前記主発光部材及び前記サブ発光部材はいずれも制御回路と電気的に接続されている
ことを特徴とする家庭用照明ランプ。
【請求項２】
前記主発光部材は主光源及び主導光部材を含み、
前記主光源は前記制御回路に電気的に接続され、
前記主導光部材は前記ランプホルダの前方に位置する
ことを特徴とする請求項１に記載の家庭用照明ランプ。
【請求項３】
前記主導光部材は主導光板であり、
前記主光源は、前記主導光部材の側縁位置に設けられ、且つ前記主導光部材との導光接続を形成している
ことを特徴とする請求項２に記載の家庭用照明ランプ。
【請求項４】
辺枠を更に含み、
前記主光源は、前記辺枠の内側に設けられ、前記主導光板の外側縁部を取り囲んでいる
ことを特徴とする請求項３に記載の家庭用照明ランプ。
【請求項５】
前記サブ発光部材はサブ光源及びサブ導光部材を含み、
前記サブ光源は前記制御回路に電気的に接続され、前記サブ導光部材は前記ランプホルダの前方または側方に位置し、
前記サブ光源は前記サブ導光部材との導光接続を形成している
ことを特徴とする請求項１〜４のいずれか一項に記載の家庭用照明ランプ。
【請求項６】
前記ランプホルダの後側にリング台が設けられ、前記サブ光源は前記リング台に設けられ、前記サブ導光部材は前記リング台の後方及び/または側方に設けられている
ことを特徴とする請求項５に記載の家庭用照明ランプ。
【請求項７】
前記リング台の外周は周方向側壁を有し、
前記サブ光源はランプベルトであり、前記ランプベルトは前記周方向側壁に巻き付けられ、
前記サブ導光部材は導光リングであり、前記周方向側壁の外側に係止されている
ことを特徴とする請求項６に記載の家庭用照明ランプ。
【請求項８】
前記サブ導光部材は、前記ランプホルダの後側に設けられる環状カバーであり、
前記環状カバーの前側にリング溝が設けられ、前記サブ光源は前記リング溝内に設けられ、
前記環状カバーは少なくとも側導光辺を有する
ことを特徴とする請求項５に記載の家庭用照明ランプ。
【請求項９】
前記環状カバーはさらに後導光辺を有する
ことを特徴とする請求項８に記載の家庭用照明ランプ。
【請求項１０】
前記ランプホルダは外縁を有し、
前記主発光部材は主光源及び主導光部材を含み、前記サブ発光部材はサブ光源及びサブ導光部材を含み、
前記主導光部材と前記外縁との相対距離は、前記サブ発光部材と前記外縁との相対距離よりも小さい
ことを特徴とする請求項１〜４のいずれか一項に記載の家庭用照明ランプ。
【考案の詳細な説明】
【技術分野】
【０００１】
本考案は照明分野に関し、具体的には家庭用照明ランプに関する。
【背景技術】
【０００２】
家庭装飾分野において、家庭用照明ランプは一般的な照明作用を遥かに超え、人々は基本的な照明機能を満たすと同時に、照明ランプの応用シーン、及びユーザの光感度の快適性に対する追求を考慮する必要もある。
【０００３】
従来の照明ランプについては、ユーザの光感快適性に対する要求が無視されることが多く、照明ランプの環境品質は大幅に損なわれ、ユーザの使用体験に影響を及ぼす。
【考案の概要】
【０００４】
本考案は、照明ランプの照度を容易に調整することができ、良好な光感快適性を有し、ユーザの異なるシーンに対する要求に適応することができる家庭用照明ランプを提供することを目的とする。
【０００５】
その技術案は以下の通りである。
【０００６】
本考案は、ランプホルダ、主発光部材、及びサブ発光部材を含み、ランプホルダの前側はフロントパネルであり、ランプホルダの後側は取り付け部であり、主発光部材はランプホルダの前方に設けられ、サブ発光部材はランプホルダの後方及び/または側方に設けられ、主発光部材及びサブ発光部材はいずれも制御回路と電気的に接続されている家庭用照明ランプを開示している。
【０００７】
一実施例において、前記主発光部材は主光源及び主導光部材を含み、該主光源は前記制御回路に電気的に接続され、主導光部材は前記ランプホルダの前方に位置する。
【０００８】
一実施例において、前記主導光部材は主導光板であり、前記主光源は、前記主導光部材の側縁位置に設けられ、且つ前記主導光部材との導光接続を形成している。
【０００９】
一実施例において、辺枠を更に含み、前記主光源は、前記辺枠の内側に設けられ、前記主導光板の外側縁部を取り囲んでいる。
【００１０】
一実施例において、前記サブ発光部材はサブ光源及びサブ導光部材を含み、該サブ光源は前記制御回路に電気的に接続され、サブ導光部材は前記ランプホルダの前方または側方に位置し、サブ光源は前記サブ導光部材との導光接続を形成している。
【００１１】
一実施例において、前記ランプホルダの後側にリング台が設けられ、前記サブ光源は該リング台に設けられ、前記サブ導光部材は前記リング台の後方及び/または側方に設けられている。
【００１２】
一実施例において、前記リング台の外周は周方向側壁を有し、前記サブ光源はランプベルトであり、該ランプベルトは周方向側壁に巻き付けられ、前記サブ導光部材は導光リングであり、前記周方向側壁の外側に係止されている。
【００１３】
一実施例において、前記サブ導光部材は、前記ランプホルダの後側に設けられる環状カバーであり、環状カバーの前側にリング溝が設けられ、前記サブ光源は該リング溝内に設けられ、該環状カバーは少なくとも側導光辺を有する。
【００１４】
一実施例において、前記環状カバーはさらに後導光辺を有する。
【００１５】
一実施例において、前記ランプホルダは外縁を有し、前記主発光部材は主光源及び主導光部材を含み、前記サブ発光部材はサブ光源及びサブ導光部材を含み、前記主導光部材と外縁との相対距離は、前記サブ発光部材と外縁との相対距離よりも小さい。
【００１６】
家庭用照明ランプの制御方法は、
制御回路は制御信号を受信することと、
制御信号が「主ランプオン」の信号である場合、主光源がオンになり、サブ光源がオフになり、光は主光源から主導光部材に伝達され、主導光部材により照明ランプの前方へ導出されることと、
制御信号が「サブランプオン」の信号である場合、サブ光源がオンになり、主光源がオフになり、光はサブ光源から導光部材に伝達され、導光部材により照明ランプの側方または後方へ導出されて、壁面に反射された後に出力されることと
を含む。
【００１７】
本考案に提供される技術案は以下の利点及び効果を備える。
【００１８】
本考案に記載の照明ランプにおいて、主発光部材がオンになると、主発光部材の光線は照明ランプの前方から射出されることにより、光線の直射要求を満たすことができ、光線の照明強度は高く、大照度のケースに適応する。サブ発光部材がオンになると、サブ発光部材の光線は照明ランプの側方または後方から射出されることにより、光線の直接照射を回避でき、光線は、壁面または周囲の他の環境の反射または拡散により、その光線の強度が大幅に低下し、光線の均一度がより理想的で、光線がより柔らかく、この時は小照度のケースに適応する。主ランプと雰囲気ランプが分離する形態を採用し、両者を独立して制御することにより、ユーザの異なる照度要求を満たすことができ、良好な光感快適性を有する。
【図面の簡単な説明】
【００１９】
ここでの図面は、本考案の前記技術案の具体例を示し、且つ具体的な実施形態と明細書の一部を構成し、本考案の技術案、原理、及び効果を解釈するために用いられる。
【００２０】
特に説明又は別途定義されない限り、異なる図面において、同一の参照符号は同一又は類似の技術的特徴を表し、同一又は類似の技術的特徴について、異なる参照符号を用いて表示することも可能である。
【図１】本考案の実施例１に記載の家庭用照明ランプの側断面図である。
【図２】図１におけるＡ部の部分拡大図である。
【図３】本考案の実施例１に記載の家庭用照明ランプの分解図である。
【図４】本考案の実施例２に記載の家庭用照明ランプの後側面図である。
【図５】本考案の実施例２に記載の家庭用照明ランプの分解図である。
【考案を実施するための形態】
【００２１】
本考案の理解を容易にするために、以下は明細書の図面を参照して本考案の具体的な実施例をさらに詳細に説明する。
【００２２】
本明細書で使用される全ての技術的および科学的用語は、特に説明または別途定義されない限り、当業者によって一般的に理解されるものと同じ意味を有する。本考案の技術案の現実シーンを結合する場合、本文に用いられる全ての技術的及び科学的用語は本考案の技術案を実現する目的に対応する意味を有してもよい。
【００２３】
本明細書で使用される「第１、第２…」は、特に説明または別途定義されない限り、単に名称を区別するためのものであり、具体的な数又は順序を表すものではない。
【００２４】
本明細書で使用される「及び/または」という用語は、特に説明または別途定義されない限り、1つまたは複数の関連する列挙された項の任意及びすべての組み合わせを含む。
【００２５】
なお、要素は、別の要素に「固定されている」と呼ばれる場合、別の要素に直接固定されてもよいし、中央にある要素を介して固定されてもよい。要素は、別の要素に「接続されている」と考えられる場合、別の要素に直接接続されてもよいし、中央にある要素を介して接続されてもよい。要素は、別の要素に「取り付けられる」と考えられる場合、別の要素に直接取り付けられてもよいし、中央にある要素を介して取り付けられてもよい。要素は、別の要素に「設けられる」と考えられる場合、別の要素に直接設けられてもよいし、中央にある要素を介して設けられてもよい。
【００２６】
本明細書で使用される「前記」、「該」は、特に説明または別途定義されない限り、相応な位置の前に言及又は説明された技術的特徴又は技術的内容であり、該技術的特徴又は技術的内容は、言及された技術的特徴又は技術的内容と同一なものであってもよく、類似なものであってもよい。
【００２７】
一義的には、本考案の目的に反したり、明らかに矛盾したりする技術的内容や技術的特徴は、除外されるべきである。
実施例１
【００２８】
図１〜図３に示すように、家庭用照明ランプを提供する。本実施例における家庭用照明ランプはダウンライトであり、取付ブラケット１１、天井取り付けブラケット１２、及び底板１４が固定接続されて形成されるランプホルダを含み、底板１４の前側はフロントパネルであり、ランプホルダの後側は、照明ランプを取り付け固定するための取り付け部である。
【００２９】
底板１４の前には、導光三ピースから構成される主導光部材２１が設けられ、主導光部材２１の側縁位置に主光源２０（すなわち、前記主導光部材２１の周方向側辺が光ベルトにより囲まれている）が設けられ、前記主光源２０の周方向外側に辺枠４０が設けられている。
【００３０】
前記底板１４の後側の環状カバーはサブ導光部材３１であり、環状カバーの前側にリング溝３１３が設けられ、リング溝３１３内にサブ光源３０が設けられ、環状カバーはネジによって底板１４に固定され、該環状カバーは側導光辺３１１及び後導光辺３１２を有する。
【００３１】
ランプホルダ内に電源モジュールが取り付けられ、主光源２０及びサブ光源３０は、いずれも電源モジュールを含む制御回路に電気的に接続されている。
【００３２】
前記主導光部材２１と外縁との相対距離は、前記サブ導光部材３１と外縁との相対距離よりも小さいことにより、主光源２０から発せられる光線ができるだけ照明ランプの前方へ射出することが保証され、一方、サブ光源３０から発せられる光線が照明ランプの前方へ射出する際に遮蔽となることも回避される。
【００３３】
本実施例に記載の家庭用照明ランプの制御方法は以下の通りである。
【００３４】
制御回路は、照明ランプの主光源２０またはサブ光源３０を制御するための制御信号を受信する。例えば以下のとおりである。
【００３５】
夜で光線が不足である場合、強照明モードをオンにする必要があり、この時、スイッチによって「主ランプオン」の信号を出力すると、主光源２０がオンになり、サブ光源３０がオフになり、光は主光源２０から主導光部材２１に伝達され、主導光部材２１により照明ランプの前方へ導出される。
【００３６】
寝る前に弱照明モードをオンにする必要があり、この時、スイッチによって「次ランプオン」の信号を出力すると、サブ光源３０がオンになり、主光源２０がオフになり、光はサブ光源３０からサブ導光部材３１に伝達され、サブ導光部材３１により照明ランプの側方及び後方へ導出されて、壁面に反射された後に出力される。この時に照明ランプから発される光線は非常に弱く、且つ直接投射されるものではなく、側方または後方の壁面に反射された後に反射後出力されるものである。
【００３７】
本実施例では、より多くの照明モードを追加するために、制御回路によって、主光源２０及びサブ光源３０を同時にオンにし、或いは、隙間を介して主光源２０及びサブ光源３０をオンにすることができることは理解される。本実施例に記載の制御信号は、制御スイッチと内蔵された制御チップを結合する方式を採用してもよく、単純な入力制御モードの方式を採用してもよい。
【００３８】
本実施例に記載の照明ランプは、従来の照明ランプに対して、その利点は非常に明らかである。
【００３９】
主発光部材がオンになると、主発光部材の光線は照明ランプの前方から射出されることにより、光線の直射要求を満たすことができ、光線の照明強度は高く、大照度のケースに適応する。サブ発光部材がオンになると、サブ発光部材の光線は照明ランプの側方または後方から射出されることにより、光線の直接照射を回避でき、光線は、壁面または周囲の他の環境の反射または拡散により、その光線の強度が大幅に低下し、光線の均一度がより理想的で、光線がより柔らかく、この時は小照度のケースに適応する。主ランプと雰囲気ランプが分離する形態を採用し、両者を独立して制御することにより、ユーザの異なる照度要求を満たすことができ、良好な光感快適性を有する。
実施例２
【００４０】
図４、図５に示すように、本実施例に記載の家庭用照明ランプは天井ランプであり、本実施例では、ランプパネル１３と底板１４が固定接続されて形成されるランプホルダを含み、ランプパネル１３は照明ランプを壁面に取り付け固定するためのものである。
【００４１】
前記底板１４の後側にリング台１４１が設けられ、前記リング台１４１の外周に周方向側壁１４１１が備えられ、周方向側壁１４１１に放熱枠１４２が設けられ、サブ光源３０はランプベルトであり、該ランプベルトは周方向側壁１４１１の放熱枠１４２に巻き付けられ、前記サブ導光部材３１は導光リングであり、前記周方向側壁１４１１の外側に係止されている。
【００４２】
本実施例の原理及び利点は実施例１と同様であり、ここでは説明を省略する。
【００４３】
前述した実施例において、主光源２０は主導光部材２１との導光接続を形成しており、サブ光源３０はサブ導光部材３１との導光接続を形成しており、その役割は以下の通りである。主光源２０が発した光線は主導光部材２１に入り、主導光部材２１によって導光された後に出力され、サブ光源３０が発した光線はサブ導光部材３１に入り、サブ導光部材３１によって導光された後に出力される。主光源２０と主導光部材２１との間、サブ光源３０とサブ導光部材３１との間は、直接接触して取り付けされてもよく、非接触式で取り付けられてもよい。
【００４４】
以上の実施例は、本考案の技術案を例示的な再現及び導出し、そしてそれにより本考案の技術案、目的、及び効果を完全に説明することを目的としている。その目的は、公衆の本考案の開示内容に対する理解をより徹底的、全面的にすることであり、本考案の保護範囲を限定することではない。
【００４５】
以上の実施例は本考案に基づく網羅的な列挙ではなく、それに加えて、列挙されていない複数の他の実施形態も存在してもよい。本考案の発想に反しない上で行われた任意の置換と改良は、いずれも本考案の保護範囲に属する。
【符号の説明】
【００４６】
１１  取付ブラケット
１２  天井取り付けブラケット
１３  ランプパネル
１４  底板
１４１  リング台
１４１１  周方向側壁
１４２  放熱枠
２０  主光源
２１  主導光部材
３０  サブ光源
３１  サブ導光部材
３１１  側導光辺
３１２  後導光辺
３１３  リング溝
４０  辺枠
４１  ネジ
５０  電源
【図１】
0003235339.tif 000003
【図２】
0003235339.tif 000004
【図３】
0003235339.tif 000005
【図４】
0003235339.tif 000006
【図５】
0003235339.tif 000007